(57)【要約】【課題】内外一対のエスカチオンをワンタッチで扉に装着できるようにする。【解決手段】内側エスカチオン２において長さ方向に移動可能に案内された連結杆６を、コイルばね１８の弾力により、その先端に形成された係止突起８が外側エスカチオンに形成された棚部に係合するため一定角度円周方向に回動できるように付勢すると共に、室内側に向かうようにも付勢し、外側及び内側エスカチオンで扉を挟んだ後、室内側から連結杆の頭部７を外方に押動する。【選択図】  図１
2005048354.tif 000002
【特許請求の範囲】
【請求項１】
扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆とを有し、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、一方、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とするエスカチオンの取付機構。
【請求項２】
扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端に受け孔を形成した第１連結棒と、他方に形成され、先端が上記受け孔と嵌合する第２連結棒とで構成すると共に、第２連結棒の外周部に切欠を、エスカチオンが扉に装着された状態においてこの切欠と整合する受け孔の内周面に突起を夫々形成し、更に、第１連結棒の受け孔形成部分に母線に沿って２以上のスリットを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とするエスカチオンの取付機構。
【請求項３】
扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端部の肉を盗んでその中心軸に平行な平面部を形成した第２連結棒と、他方に形成され、断面形状が第２連結棒の断面と形状係合をする受け孔を先端に形成した第１連結棒とで構成すると共に、第２連結棒の平面部に切欠を、エスカチオンが扉に装着された状態においてこの切欠と整合する受け孔の内周に突起を夫々形成し、更に、第１連結棒の受け孔形成部分に母線に沿って２以上のスリットを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とするエスカチオンの取付機構。
【請求項４】
扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端部の肉を盗んでその中心軸に平行な平面部を形成した第２連結棒と、他方に形成され、断面形状が第２連結棒の断面と形状係合をする受け孔を先端に形成した第１連結棒とで構成すると共に、第２連結棒の平面部に切欠を、エスカチオンが扉に装着された状態においてこの切欠と整合する受け孔の内周に突起を夫々形成し、更に、第２連結棒の先端部に平面部と平行な深いスリワリを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とするエスカチオンの取付機構。
【請求項５】
扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端部の肉を盗んでその中心軸に平行な平面部を形成した第２連結棒と、他方に形成され、断面形状が第２連結棒の断面と形状係合をする受け孔を先端に形成した第１連結棒とで構成すると共に、第２連結棒の平面部に切欠を、エスカチオンが扉に装着された状態においてこの切欠と整合する受け孔の内周に突起を夫々形成し、更に、第１連結棒の先端部に第２連結棒の平面部に垂直なスリットを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とするエスカチオンの取付機構。
【請求項６】
扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端に受け孔を形成した第１連結棒と、他方に形成され、先端が上記受け孔と嵌合する第２連結棒とで構成すると共に、第２連結棒の外周部に切欠を、エスカチオンが扉に装着された状態においてこの切欠と整合する受け孔の内周面に突起を夫々形成し、更に、第１連結棒の受け孔形成部分に、間に内側の突起を残す間隔で、母線に沿う一対のスリットを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とするエスカチオンの取付機構。
【請求項７】
扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端に受け孔を形成した第１連結棒と、他方に形成され、先端が上記受け孔と嵌合する第２連結棒とで構成すると共に、第１連結棒の内周面開口端縁部に内側に突出する係止爪を形成し、これに対応して、第２連結棒の先端部外周面に、その母線に沿って、係止爪と係合可能な溝部を形成し、この溝部底面に切欠を形成して、エスカチオンが扉に装着された状態においてこの切欠と係止爪とが係合するようにし、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とするエスカチオンの取付機構。
【発明の詳細な説明】
【０００１】
【発明が属する技術分野】
この発明は、エスカチオンの取付機構（以下単に取付機構という）に係り、特に、所謂ワンタッチでエスカチオンを扉に装着することができる取付機構に関する。
【０００２】
【従来の技術】
エスカチオンとは、扉の自由側端縁部内外面に装着され、ハンドルやノブの取付座となる通常は縦長の一対の飾り板のことである。
【０００３】
従来、エスカチオンを扉に装着するには、内側（室内側）のエスカチオン及び扉を挿通して扉外に突出する取付ねじにより外側エスカチオンを扉外面に呼び付けるようにして装着する。
【０００４】
【発明が解決しようとする課題】
上記した従来のエスカチオンの取付方法或いは取付機構は、構造が簡単で装着が確実である、という利点はあるものの、ねじの締め込みが面倒で、また、工程に比較的長時間を要する、等未だ改良の余地がある。
【０００５】
そこで、この発明は、所謂ワンタッチでエスカチオンを扉に装着することができ、作業効率を高め得る取付機構を提供することを目的としている。
【０００６】
【課題を解決するための手段】
上記の目的を達成するため、請求項１に記載の発明は、扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆とを有し、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、一方、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とする。
【０００７】
また、請求項２に記載の発明は、扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端に受け孔を形成した第１連結棒と、他方に形成され、先端が上記受け孔と嵌合する第２連結棒とで構成すると共に、第２連結棒の外周部に切欠を、エスカチオンが扉に装着された状態においてこの切欠と整合する受け孔の内周面に突起を夫々形成し、更に、第１連結棒の受け孔形成部分に母線に沿って２以上のスリットを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とする
【０００８】
更にまた、請求項３に記載の発明は、扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端部の肉を盗んでその中心軸に平行な平面部を形成した第２連結棒と、他方に形成され、断面形状が第２連結棒の断面と形状係合をする受け孔を先端に形成した第１連結棒とで構成すると共に、第２連結棒の平面部に切欠を、エスカチオンが扉に装着された状態においてこの切欠と整合する受け孔の内周に突起を夫々形成し、更に、第１連結棒の受け孔形成部分に母線に沿って２以上のスリットを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とする。
【０００９】
また、請求項４に記載の発明は、扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端部の肉を盗んでその中心軸に平行な平面部を形成した第２連結棒と、他方に形成され、断面形状が第２連結棒の断面と形状係合をする受け孔を先端に形成した第１連結棒とで構成すると共に、第２連結棒の平面部に切欠を、エスカチオンが扉に装着された状態においてこの切欠と整合する受け孔の内周に突起を夫々形成し、更に、第２連結棒の先端部に平面部と平行なスリワリを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とする。
【００１０】
更にまた、請求項５に記載の発明は、扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端部の肉を盗んでその中心軸に平行な平面部を形成した第２連結棒と、他方に形成され、断面形状が第２連結棒の断面と形状係合をする受け孔を先端に形成した第１連結棒とで構成すると共に、第２連結棒の平面部に切欠を、エスカチオンが扉に装着された状態においてこの切欠と整合する受け孔の内周に突起を夫々形成し、更に、第１連結棒の先端部に第２連結棒の平面部に垂直なスリットを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とする。
【００１１】
また、請求項６に記載の発明は、扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端に受け孔を形成した第１連結棒と、他方に形成され、先端が上記受け孔と嵌合する第２連結棒とで構成すると共に、第２連結棒の外周部に切欠を、エスカチオンが扉に装着された状態においてこの切欠と整合する受け孔の内周面に突起を夫々形成し、更に、第１連結棒の受け孔形成部分に、間に内側の突起を残す間隔で、母線に沿う一対のスリットを形成し、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とする。
【００１２】
更にまた、請求項７に記載の発明は、扉外面に装着される外側エスカチオンと、扉内面に外側エスカチオンと対称的に装着される内側エスカチオンと、室内側の内端に大径頭部を形成し、外端部外周面の少なくとも１ヵ所に半径方向に突出する係止突起を形成した連結杆と、連結杆と共に外側及び内側エスカチオンを連結するカプラーとを有し、このカプラーを、外側及び内側エスカチオンの一方に形成され、先端に受け孔を形成した第１連結棒と、他方に形成され、先端が上記受け孔と嵌合する第２連結棒とで構成すると共に、第１連結棒の内周面開口端縁部に内側に突出する係止爪を形成し、これに対応して、第２連結棒の先端部外周面に、その母線に沿って、係止爪と係合可能な溝部を形成し、この溝部底面に切欠を形成してエスカチオンが扉に装着された状態においてこの切欠と係止爪とが係合するようにし、一方、内側エスカチオンにおいて、上記大径頭部を連結杆の長さ方向に移動可能に収納する大径頭部収納洞と、連結杆の内端部をその長さ方向に移動可能に支承する案内筒とを同軸に連設し、また、連結杆を室内側及び円周方向に付勢すると共に、連結杆が外側エスカチオンから抜け出ることを防止する第１ストッパーを設け、他方、連結杆に回り止めを施すと共に、連結杆が外方に所定距離移動したとき上記回り止めを解除するトリガー機構と、このトリガー機構の作動により軸線回りに回動する連結杆を所定の角度位置に係止する第２ストッパーとを設け、更に、外側エスカチオンにおいて、内側から順に、連結杆の外端部と摺動可能に係合する挿通孔と、係止突起と係合する棚部とを連設したことを特徴とする。
【００１３】
【実施例】
以下、この発明の実施例を図面を参照して説明する。
図１乃至図１１は請求項１に係る発明を示し、これらの図の内、図１において符号１は扉外面に装着される外側エスカチオンを、符号２は扉内面に装着される内側エスカチオンを夫々示し、通常、これら外側及び内側エスカチオン１、２は図示しない扉に関し対称的に装着される。
【００１４】
上記外側及び内側エスカチオン１、２は、その下端部をカプラー３によって相互に連結され、このカプラー３は、例えば外側エスカチオン１の裏面に一体に植設され、先端に受け孔を形成した第１連結棒４と、内側エスカチオン２の裏面に一体に植設され、先端が上記受け孔と嵌合する第２連結棒５とを有している。
【００１５】
一方、エスカチオン１、２の上端部は、次に述べるように、この発明による取付機構における連結杆６を介して、ワンタッチでかつ再分離可能に連結されている。
【００１６】
なお、上記第１及び第２連結棒４、５、並びに連結杆６は、外側及び内側エスカチオン１、２の間にあって図示を省略する扉、及びこの扉に埋設された錠箱を貫通していることは言うまでもない。
【００１７】
上記連結杆６は、図２及び図３に示すように、室内側の内端（図で右端）に大径頭部７を形成し、外端部外周面の少なくとも１ヵ所（図示の実施例では軸線に関して対称的に１対）の係止突起８、８を形成した棒状体である。
【００１８】
なお、大径頭部７の表面、すなわち室内側の内面には、図２及び図３に示すように、−形のスリワリ１０が形成されている。
【００１９】
図示の実施例では、連結杆６の先端部は他の部分より小径に成形され、その先端部に上記係止突起８、８が一体に突設されている。
【００２０】
また、この連結杆６は、先端から内端に向かって小径部９、図３及び図５に示すように断面略分銅形の第１異形断面部１１、図３及び図６に示すように断面略堤灯形の第２異形断面部２及び、図３及び図７に示すように断面異形ではないが後述するコイルばねの一端を受入れるばね受け凹陥部１３を形成した基部１４とを連設してなる。
【００２１】
なお、第１及び第２異形断面部１１、１２並びに基部１４は、同一の円筒に内接するものとする。
【００２２】
また、第２異形断面部１２は、第１異形断面部の外周を一定の角度範囲にわたって切除した断面形状である。
【００２３】
他方、図１に示すように、内側エスカチオン２には、室内側から順に、前記大径頭部７を連結杆の長さ方向に移動可能に収納する大径頭部収納洞１５と、連結杆６の内端部をその長さ方向に移動可能に支承する案内筒１６とが連設されている。
【００２４】
上記大径頭部収納洞１５は、図７に示すように、大径頭部７が連結杆の軸線回りを回動できるように断面円形であるが、案内筒１６の内孔の断面は、上記第１位径断面部１１と摺動可能に嵌合できるように断面略分銅形の異形断面となっている。
【００２５】
そのため、図９に示すように、連結杆の第１異形断面部１１が案内筒１６と嵌合しているときには、連結杆６はその長さ方向には摺動できるけれども、その軸線の回りを回動することはできない。すなわち、連結杆はこの状態で回り止めが施されることになる。
【００２６】
また、図７に示すように、大径頭部収納洞１５には直線状のばね溝１７が連設されている。
【００２７】
更にまた、図１に示すように、連結杆の大径頭部７の厚さ、すなわち連結杆６の長さ方向の寸法は大径頭部収納洞１５の深さより小さく設定されているので、大径頭部７と案内筒１６との間には環状の空間が形成される。
【００２８】
そして、この発明においては、この空間における連結杆の内端部に圧縮コイルばね（以下単にコイルばねという）１８が巻装されている。
【００２９】
このコイルばね１８は連結杆６を室内側に、すなわち図１において右方に付勢しており、従って連結杆の大径頭部７は大径頭部収納洞１５から抜け出ようとするが、大径頭部７に形成されたフランジ１９（図２参照）が内側エスカチオン２を覆う化粧カバー２１（図１参照）に形成された大径頭部７用の開口の開口端縁と係合するので、この開口の開口端縁が第１ストッパーとなって大径頭部７が室内側に抜け出ることはない。
【００３０】
また、上記コイルばね１８は、その一端を前記ばね受け凹陥部１３（図６参照）に、他端を前記ばね溝１７（図７参照）に係合させた状態で、連結杆６を円周方向の一方向（図９で反時計方向）に付勢するように少し捩られた状態で弾装されている。
【００３１】
そのため、連結杆６に回り止めが施されていない場合には手を離すとコイルばねの捩りがすぐに戻されてしまうが、後述するように、連結杆に捩る方向の付勢力が必要な場合には、図９に示すように、第１異形断面部１１が案内筒１６と嵌合しているので、連結杆６が回ってしまうことはない。
【００３２】
一方、外側エスカチオン１の裏面の連結杆６の中心軸線と整合する部位には、図１及び図８に示すように、係止筒２２が一体に突設されており、この係止筒２２の内孔には連結杆の外端部と摺動可能に係合する挿通孔２３が形成されると共に、この挿通孔２３の開口端縁としての棚部２４が形成されている。
【００３３】
上記のように構成されたこの発明の一実施例による取付機構は、外側及び内側エスカチオン１、２が分離されているとき、内側エスカチオン１内における連結杆６の相対角度位置は、大径頭部のスリワリ１０が図２及び図３に示すように縦長になる角度位置にある。
【００３４】
このときには、図９に示すように連結杆の第１異形断面部１１が案内筒１６と嵌合しており、そのため連結杆６には回り止めが施されているので、連結杆６は内側エスカチオン２から抜け出ようとするが、前記したように大径頭部のフランジ１９が化粧カバー２１の開口端縁に係止され、図１より右方に位置する（図示せず）。
【００３５】
この発明による取付機構を作動させて外側及び内側エスカチオン１、２を扉に装着するには、先ず、外側エスカチオン１の係止筒２２及び第１連結棒４（図１参照）を扉の外面に開口したこれらの突起に対応する開口に挿入して外側エスカチオン１を扉の外面に押し付ける。
【００３６】
次いで、扉の内側から内側エスカチオンの案内筒１６及び第２連結棒５（図１参照）の夫々に対応する開口に挿入して内側エスカチオンを扉内面に押し付ける。
【００３７】
すると、図１に示すように、錠箱内において第１及び第２連結棒４、５が夫々の先端を嵌め合わせるようにして相互に連結される。
【００３８】
同時に、連結杆の先端部が外側エスカチオンの係止筒内に挿入され、挿通孔２３（図８参照）と嵌合する。
【００３９】
この状態で、室内側から内側エスカチオンの化粧カバーから少し飛出した連結杆の大径頭部７を、コイルばね１８の弾力に抗して、例えば手指で室外側に押動する。
【００４０】
このときには、図９に示すように連結棒の第１異形断面部１１が案内筒１６と嵌合して連結杆６には回り止めが施されているから、連結杆６は回転せずに室外側に移動する。
【００４１】
そして、第１異形断面部１１の内端が案内筒から外れると、図１０に示すように、今度は第２異形断面部１２のみが案内筒１６と嵌合、或いは係合することになる。
【００４２】
前記したように連結杆６は図１０で反時計方向に付勢されているとしたから、このとき連結杆６の回り止めが解除され、連結杆６は図１０で反時計方向に回動する。すなわち、連結杆６の回り止めが解除される。
【００４３】
このようにして、図示の実施例における取付機構においては、第１及び第２異形断面部１１、１２の境目と案内筒１６の内端開口端縁とにより前記トリガー機構を構成する。
【００４４】
また、図１０において第２異形断面部１２が反時計方向に９０度回動するとそれ以上回動できないので、第２異形断面部及び案内筒１６は第２ストッパーを構成する。
【００４５】
このとき連結杆の係止突起８が外側エスカチオンの棚部２４より外方にあるように各部材の形状、寸法を設定しておくと、連結杆の先端小径部９が挿通孔２３内で例えば９０度回動し、図１に示すように、係止突起８が棚部２４と係合する角度位置になる。
【００４６】
この状態で内側エスカチオンを室内側に移動させようとすると、係止突起８を介して連結杆６が外側エスカチオン１に係止されるので、内側エスカチオン２を移動させることができない。
【００４７】
すなわち、外側及び内側エスカチオン１、２は相互に拘束された状態で扉に装着されることになる。
【００４８】
なお、図１に示す装着状態において、連結杆の基部１４の外端面（図２及び図３で左端面）が大径頭部収納洞１５の底面に近接するように各部材の寸法を設定しておくと、取り付けられたエスカチオンにガタが生じない。
【００４９】
一方、エスカチオン１、２を扉面から取り外すには、先ず扉内面において水平になっている前記スリワリ１０に例えばマイナスドライバーの先端を差込み、図示の実施例では大径頭部７を時計方向に９０度回し、係止突起８を挿通孔２３と整合させる。
【００５０】
すると、図９に示すように第１異形断面部１１と案内筒１６の内孔も整合するので、連結杆６はその付勢力により室内側に移動し、係止突起８、８は棚部２４から内方に移動する。
【００５１】
この状態では内側エスカチオン２を係止する何物も無いので、外側及び内側エスカチオン１、２を扉から取り外すことができる。
【００５２】
図１１は請求項１に係る発明の他の実施例を示し、この実施例は案内筒１６の内孔の断面形状を円形と、その外側から内孔内に突出する制御ピン２５を打込む。
【００５３】
また、連結杆６も断面円形の丸棒として案内筒１６内で回動可能とし、その外表面に例えばＬ字形の制御溝２６を形成し、その左方の開口端から制御ピン２５を係入させる。
【００５４】
そして、大径頭部７を押込むときの制御溝２６の右方への移動を利用して、相対移動により固定の制御ピン２５が幅広部２７に致ると共に下方に移動する動きを利用してトリガー機構及び第２ストッパーを構成する。
【００５５】
一方、図１２乃至図１４は請求項２に係る発明を示す。これらの図における発明は、請求項１に係る発明と主要部の構成は同一であるが、前記カプラー３（図１参照）の部分において第１及び第２連結棒４、５の結合を更に強固にし、以て長期間の使用後においてもエスカチオンが扉面から浮き上がらないようにしたものである。
【００５６】
なお、請求項２に係る発明の説明に続く請求項３乃至請求項７に記載の発明も、請求項２に係る発明と同様に、カプラー３における第１及び第２連結棒４、５の結合を更に強固にし、以て長期間の使用後においてもエスカチオンが扉面から浮き上がらないようすることを目的としている。
【００５７】
すなわち、図１２において符号５は前記第２連結棒５の先端部を示し、この第２連結棒５の先端部の外周面に、円周方向に沿って、少なくとも１個（図示の実施例では５個）の切欠２８、２８が形成されている。
【００５８】
これに対応して、図１３に示すように、第１連結棒４の先端の筒状部の開口端縁付近における内周面に少なくとも１個の突起２９が形成されている。
【００５９】
この突起２９の図１３に示す横断面形状は上記切欠２８と係合できるように例えば三角形とし、その円周方向の寸法は第２連結棒の切欠が形成されていない外周面と干渉しないように定める。
【００６０】
また、突起２９の扉厚方向（図１３で左右方向）の位置は、外側及び内側エスカチオン１、２を扉に装着したとき、突起２９が切欠２８と係合するように定める（図１４参照）。
【００６１】
更にまた、第１連結棒４の先端筒上部が図において上下に拡開し易いように筒状部の肉厚を小さくし、更に水平なスリット３１を２ヵ所以上形成すると良い。
【００６２】
ちなみに、上記突起２９を第１連結棒の内周面に形成するには、例えば、エスカチオン本体或いは第１連結棒４の材質を弾力性がある合成樹脂とし、射出成形時上記スリット３１を形成する中子に突起２９を形成するための小凹陥部を形成し（図示せず）、射出成形及び冷却後この中子を引抜けば、第１連結棒の筒上部が上下に拡開するので、突起２９を潰すことなく中子を引抜くことができ、この用にして容易に突起２９を形成することができる。
【００６３】
上記のように構成された請求項２に記載の発明によれば、外側及び内側エスカチオン１、２を扉に装着するときカプラーの第１及び第２連結棒の先端部が相互に嵌合し、図１４に示すように、このとき前者の突起２９と後者の切欠２８が相互に係合するので、これらの形状係合により外側及び内側エスカチオンがカプラー部においても連結され、長期間の使用後においてもエスカチオンが扉面から浮き上がらないようにすることができる。
【００６４】
なお、図示の実施例では切欠２８を複数としたが、切欠２８は最低１個あれば足り、逆に、切欠２８及び突起２９を夫々複数としてもよい。
【００６５】
図１５及び図１６は請求項３に記載の発明の一実施例を示し、この発明においては、第２連結棒５の先端部の肉を盗んでその中心軸と平行な平面部３２を形成し、この平面部に切欠２８、２８を形成してある。
【００６６】
一方、第１連結棒４に形成された受け孔の断面形状は、第２連結棒５の断面と形状係合をするように設定されている。
【００６７】
また、第１連結棒４の内孔面の、エスカチオン装着時上記切欠２８と整合する部分、すなわち、第２連結棒の平面部３２と接合する平面部には、切欠２８と係合する突起２９が形成されている。
【００６８】
上記のように構成された請求項３に記載の発明によれば、外側及び内側エスカチオン１、２を扉に装着するときカプラーの第１及び第２連結棒の先端部が相互に嵌合し、図１５に示すように、このとき前者の突起２９と後者の切欠２８が相互に係合するので、これらの形状係合により外側及び内側エスカチオンがカプラー部においても連結され、長期間の使用後においてもエスカチオンが扉面から浮き上がらないようにすることができる。
【００６９】
請求項３に記載の発明においては、切欠２８及び突起２９が夫々平面部に形成されるので、夫々の長さを大きくでき、そのため第１及び第２連結棒４、５の結合が更に強固になる、という別の利点が生じる。
【００７０】
なお、請求項３に記載の発明においても、第１連結棒の受け孔部分の弾性を向上させるため、母線に沿って２以上のスリット３１、３１を形成すると良い（図１５及び図１６参照）。
【００７１】
図１７及び図１８は請求項４に記載の発明の一実施例を示し、この発明においては、第２連結棒５の先端部の肉を盗んでその中心軸と平行な平面部３２を形成し、この平面部に切欠２８、２８を形成してあることは請求項３に記載の発明と同様である。
【００７２】
一方、第１連結棒４に形成された受け孔の断面形状は、第２連結棒５の断面と形状係合をするように設定されている。
【００７３】
また、第１連結棒４の内孔面の、エスカチオン装着時上記切欠２８と整合する部分、すなわち、第２連結棒の平面部３２と接合する平面部には、切欠２８と係合する突起２９が形成されている。
【００７４】
更にまた、第２連結棒５の先端部には、その平面部３２とほぼ平行な深いスリワリ３３が形成されている。
【００７５】
図１７及び図１８に示す発明が請求項３に記載の発明と異なるところは、切欠２８と突起２９の係脱に必要な両者の相対運動を得るため、第１連結棒４の筒部の拡開ではなく、第２連結棒５の深いスリワリ３３に起因する第２連結棒５の弾性変形を利用している点にあり、その機能は図１５及び図１６に示すところと変るところはないので、更に詳細な説明は省略する。
【００７６】
また、図１７に示す実施例においては、上記深いスリワリ３３の幅が第２連結棒５の先端ほど大きくなるように設計されているが、これはこの発明の必須の構成要件ではない。
【００７７】
図１９及び図２０は請求項５に記載の発明の一実施例を示し、この発明においては、第２連結棒５の先端部の肉を盗んでその中心軸と平行な平面部３２を形成し、この平面部に切欠２８、２８を形成してあることは請求項３に記載の発明と同様である。
【００７８】
一方、第１連結棒４に形成された受け孔の断面形状は、第２連結棒５の断面と形状係合をするように設定されている。
【００７９】
また、第１連結棒４の内孔面の、エスカチオン装着時上記切欠２８と整合する部分、すなわち、第２連結棒の平面部３２と接合する平面部には、切欠２８と係合する突起２９が形成されている。
【００８０】
更にまた、第２連結棒４の先端筒部の、第２連結棒５に関し突起２９と対称的な角度位置には、その母線に沿って、スリット３１が形成されている。
【００８１】
図１９及び図２０に示す発明が請求項３に記載の発明と異なるところは、切欠２８と突起２９の係脱に必要な両者の相対運動を得るため、第１連結棒４の筒部の、図１５及び図１６における上下方向の拡開ではなく、第１連結棒４に形成されたスリット３１の存在により、第１連結棒４の筒部の、図２０で左右に拡開するような弾性変形を利用している点にある。
【００８２】
そのため、第１連結棒に体する第２連結棒の押込みに要する力が大きくなるが、一旦両者の結合が完了すれば、その結合は強固になる。また、機能は図１５及び図１６に示すところと変るところはないので、更に詳細な説明は省略する。
【００８３】
図２１及び図２２は請求項６に記載の発明の一実施例を示し、この発明は、図１２乃至図１４に示す請求項２に記載の発明を更に改良したものである。
【００８４】
すなわち、第２連結棒５の先端部の外周に切欠２８を形成してある点は請求項２に記載の発明と同様である（図１２参照）。
【００８５】
異なるところは、図２２に示すように、第１連結棒４の受け孔形成部分に、間に内側の突起２９を残す間隔で、母線に沿う一対の細いスリット３１、３１を形成して先端に突起２９を設けた弾性腕３４を形成し、その代わりに、図１３に示す長いスリットを省略してある。
【００８６】
そのため、切欠２８及び突起２９の係脱の際、主に弾性腕３４がラジアル方向に揺動する。
【００８７】
上記のように構成された請求項６に記載の発明は、その機能は請求項２に記載の発明とほぼ同じであるが、細い弾性腕３４の長さを自由に設定できるので、弾性腕３４の剛性を自由に設定でき、連結棒の材質及び切欠２８の深さに応じて、切欠２８及び突起２９の係脱に要する力や弾性腕３４の応力を適切に設計できる、という別の利点が生じる。
【００８８】
図２３乃至図２７は請求項７に記載の発明の一実施例を示し、この発明における第１連結棒４の内周面開口端縁部には、図２３及び図２４に示すように、内側斜め方向に突出する係止爪３５が形成されている。
【００８９】
なお、図２３及び図２４に示すように内周面開口端縁部に係止爪３５を形成するには、例えば、エスカチオンの成形に射出成形機を用いるものとし、係止爪の位置で左右に分割でき、係止爪３５と凹凸反対の凹部を形成した中子を用いるとよい（図示せず）。
【００９０】
これに対応して、図２５及び図２６に示すように、第２連結棒５の先端部外周面に、その母線に沿って係止爪３５と係合可能な溝部３６が形成されている。
【００９１】
そして、この溝部底面（図２６で上面）に切欠２８が形成されており、エスカチオンが扉に装着された状態において、図２７に示すように、切欠２８と係止爪３５の先端とが係合するように各部の形状及び寸法が設定されている。
【００９２】
なお、第２連結棒５の先端が第１連結棒４の先端と嵌合するとき、係止爪３５の先端と切欠２８とは係脱を繰り返すが、この係脱に要する両者の相対運動は係止爪３５の弾性変形による起伏を利用する。
【００９３】
また、第２連結棒５に溝部３６を凹設し、その底面に切欠２８を形成した理由は、係止爪３５の半径方向の寸法を大きくしてその弾性を高めるにある。
【００９４】
更にまた、上記請求項７に記載の発明の作用効果は、前記請求項３乃至請求項６に記載の発明とほぼ同様であるから、更に詳細な説明は省略する。
【００９５】
【発明の効果】
以上の説明から明らかなように、この発明は、内側エスカチオンにおいて長さ方向に移動可能に案内された連結杆を、その先端に形成された係止突起が外側エスカチオンに形成された棚部に係合する方向に付勢したので、外側及び内側エスカチオンで扉を挟んだ後、室内側から連結杆の頭部を外方に押動するだけで内外エスカチオンを扉に装着することができる。
【００９６】
また、連結杆をその長さ方向にそって室内側に付勢したので、室内側から連結杆をその付勢方向とは逆方向に回動させるだけで、係止突起と棚部との係合を解くことができ、内外エスカチオンを扉から取り外すことができる。
【００９７】
更にまた、請求項２乃至請求項７に記載の発明によれば、外側及び内側エスカチオンはカプラー部においても安定に連結されるので、長期間の使用後においてもエスカチオンの扉面からの浮き上がりを防止することができる、等種々の効果を奏する。
【図面の簡単な説明】
【図１】内外エスカチオンの取付状態を扉及び錠箱を省略して示す側面図。
【図２】連結杆の平面図。
【図３】連結杆の側面図。
【図４】図３のＩＶ−ＩＶ線による断面図。
【図５】図３のＶ−Ｖ線による断面図。
【図６】図３のＶＩ−ＶＩ線による断面図。
【図７】内側エスカチオンの一部裏面図。
【図８】外側エスカチオンの一部裏面図。
【図９】案内筒と連結杆との嵌合の状態を示す一部断面図で、連結杆の第１異形断面部と嵌合している状態を示す。
【図１０】案内筒と連結杆との嵌合の状態を示す一部断面図で、連結杆の第１異形断面部と嵌合している状態を示す。
【図１１】この発明の変形実施例を示す線図。
【図１２】請求項２に記載の発明におけるカプラーの第２連結棒の一部平面図。
【図１３】請求項２に記載の発明におけるカプラーの第１連結棒の拡大断面図。
【図１４】請求項２に記載の発明におけるカプラーの係合状態を示す拡大断面図。
【図１５】請求項３に記載の発明におけるカプラーの係合状態を示す拡大断面図。
【図１６】図１５のＸＶＩ−ＸＶＩ線による断面図。
【図１７】請求項４に記載の発明におけるカプラーの係合状態を示す拡大断面図。
【図１８】図１７のＸＶＩＩＩ−ＸＶＩＩＩ線による断面図。
【図１９】請求項５に記載の発明におけるカプラーの係合状態を示す拡大断面図。
【図２０】図２０のＸＸ−ＸＸ線による断面図。
【図２１】請求項６に記載の発明におけるカプラーの係合状態を示す拡大断面図。
【図２２】請求項６に記載の発明における第１連結棒先端部の下面図。
【図２３】請求項７に記載の発明における第１連結棒の正面図。
【図２４】請求項７に記載の発明における第１連結棒の縦断面図。
【図２５】請求項７に記載の発明における第２連結棒の正面図。
【図２６】請求項７に記載の発明における第２連結棒の縦断面図。
【図２７】請求項７に記載の発明におけるカプラーの係合状態を示す拡大断面図。
【符号の説明】
１  外側エスカチオン
２  内側エスカチオン
３  カプラー
４  第１連結棒
５  第２連結棒
６  連結杆
７  大径頭部
８  係止突起
１０  スリワリ
１１  第１異形断面部
１２  第２異形断面部
１５  大径頭部収納洞
１６  案内筒
１７  ばね溝
１８  コイルばね
１９  フランジ
２１  化粧カバー
２２  係止筒
２３  挿通孔
２４  棚部
２５  制御ピン
２６  制御溝
２７  幅広部
２８  切欠
２９  突起
３１  スリット
３２  平面部
３３  深いスリワリ
３４  弾性腕
３５  係止爪
３６  溝部
【図１】
2005048354.tif 000003
【図２】
2005048354.tif 000004
【図３】
2005048354.tif 000005
【図４】
2005048354.tif 000006
【図５】
2005048354.tif 000007
【図６】
2005048354.tif 000008
【図７】
2005048354.tif 000009
【図８】
2005048354.tif 000010
【図９】
2005048354.tif 000011
【図１０】
2005048354.tif 000012
【図１１】
2005048354.tif 000013
【図１２】
2005048354.tif 000014
【図１３】
2005048354.tif 000015
【図１４】
2005048354.tif 000016
【図１５】
2005048354.tif 000017
【図１６】
2005048354.tif 000018
【図１７】
2005048354.tif 000019
【図１８】
2005048354.tif 000020
【図１９】
2005048354.tif 000021
【図２０】
2005048354.tif 000022
【図２１】
2005048354.tif 000023
【図２２】
2005048354.tif 000024
【図２３】
2005048354.tif 000025
【図２４】
2005048354.tif 000026
【図２５】
2005048354.tif 000027
【図２６】
2005048354.tif 000028
【図２７】
2005048354.tif 000029